(57)【要約】【課題】個別のモニタごとに電力制御することを課題とする。【解決手段】医用画像診断装置は、表示モードと省電力モードとを入力信号の有無に応じて切り替えるモニタについて、モニタが連動する処理の実行が開始された状態もしくは停止された状態を示す状態情報と信号の入力開始もしくは入力停止を制御する制御情報とを対応づけてモニタごとに記憶する。また、医用画像診断装置は、所定の状態が検知されると、検知された状態を示す状態情報を用いて記憶部を検索し、当該状態情報に制御情報が対応づけて記憶されているモニタに対して、当該制御情報に従って信号の入力開始もしくは入力停止を制御する。【選択図】        図１
2010017221.tif 000002
【特許請求の範囲】
【請求項１】
処理の実行と連動して医用情報を表示するモニタを複数備える医用情報表示装置であって、
医用情報を表示する表示モードと消費電力を低減する電力低減モードとを入力信号の有無に応じて切り替えるモニタについて、当該モニタが連動する処理の実行が開始された状態もしくは停止された状態を示す状態情報と信号の入力開始もしくは入力停止を制御する制御情報とを対応づけてモニタごとに記憶する制御情報記憶手段と、
前記状態を検知する状態検知手段と、
前記状態検知手段によって所定の状態が検知されると、検知された当該状態を示す状態情報を用いて前記制御情報記憶手段を検索し、当該状態情報に制御情報が対応づけて記憶されているモニタに対して、当該制御情報に従って信号の入力開始もしくは入力停止を制御する入力信号制御手段と、
を備えたことを特徴とする医用情報表示装置。
【請求項２】
所定の種別の医用画像のみを表示するモニタについて、医用画像の種別を示す種別情報と前記制御情報とを対応づけてモニタごとに記憶する種別制御情報記憶手段と、
前記種別を検知する種別検知手段と、
をさらに備え、
前記入力信号制御手段は、前記状態検知手段によって所定の状態が検知されると、検知された当該状態が、所定の種別の医用画像を表示する処理に関する状態であるか否かを判定し、所定の種別の医用画像を表示する処理に関する状態であると判定された場合には、前記種別検知手段によって検知された種別を示す種別情報を用いて前記種別制御情報記憶手段を検索し、当該種別情報に制御情報が対応づけて記憶されているモニタに対して、当該制御情報に従って信号の入力開始もしくは入力停止を制御することを特徴とする請求項１に記載の医用情報表示装置。
【請求項３】
所定の種別の医用画像のみを表示するモニタを複数備える医用画像表示装置であって、
医用画像を表示する表示モードと消費電力を低減する電力低減モードとを入力信号の有無に応じて切り替えるモニタについて、医用画像の種別を示す種別情報と信号の入力開始もしくは入力停止を制御する制御情報とを対応づけてモニタごとに記憶する制御情報記憶手段と、
前記種別を検知する種別検知手段と、
前記種別検知手段によって所定の種別が検知されると、検知された当該種別を示す種別情報を用いて前記制御情報記憶手段を検索し、当該種別情報に制御情報が対応づけて記憶されているモニタに対して、当該制御情報に従って信号の入力開始もしくは入力停止を制御する入力信号制御手段と、
を備えたことを特徴とする医用画像表示装置。
【発明の詳細な説明】
【技術分野】
【０００１】
本発明は、医用情報表示装置および医用画像表示装置に関する。
【背景技術】
【０００２】
Ｘ線診断装置、Ｘ線ＣＴ（Computed  Tomography）装置またはＭＲＩ（Magnetic  Resonance  Imaging）装置などの医用画像診断装置は、多くの場合、複数のモニタを備える。例えば、現検査用モニタ、過去検査用モニタ、検査室用モニタなどの複数のモニタを備える。ここで、複数のモニタを備える医用画像診断装置においては、複数の利用者によって別々のモニタが操作されることがある。例えば、医用画像診断装置は、操作室の医師によって操作されることで医用画像を現検査用モニタに表示する一方で、検査室の技師によって操作されることで医用画像を検査室用モニタに表示することがある。
【０００３】
ところで、一般的に、モニタは、信号の入力を検知すると表示モードに移行し、信号の入力がないことを検知すると省電力モードに移行することで、省電力やモニタの長寿命化を図っている。このため、従来の医用画像診断装置は、全てのモニタが利用者によって操作されなくなってから一定時間経過した場合に、全てのモニタに対する信号の入力を停止する。言い換えると、従来の医用画像診断装置は、一つのモニタが利用者によって操作されている間は、利用されていない他のモニタも含めた全てのモニタに対する信号の入力を継続し、全てのモニタにおいて表示モードが維持される。
【０００４】
なお、省電力を図る手法としては、例えば、顔を撮像する装置が、視線方向を検出し、検出した視線方向からモニタを見ていないと判定すると、モニタの電源を切る手法（特許文献１など）が開示されている。また、例えば、監視カメラシステムが、システム内の各部が動作していない時に、各部の駆動電源を遮断する手法（特許文献２など）が開示されている。
【０００５】
【特許文献１】特開平１１−２８８２５９号公報
【特許文献２】特開２００４−２２２１１２号公報
【発明の開示】
【発明が解決しようとする課題】
【０００６】
ところで、上記した従来の技術では、個別のモニタごとに電力制御することができないという課題があった。すなわち、従来の医用画像診断装置は、表示モードと省電力モードとの切り替えを全てのモニタについて一括制御していたので、個別のモニタごとに電力制御することができなかった。
【０００７】
なお、上記した課題は、医用画像診断装置に限られず、複数のモニタを備える装置であれば同様に課題となる。例えば、医用情報である所見を表示するモニタと、所見に対応する医用画像を表示するモニタとを備えた医用情報表示装置においても同様に課題となる。
【０００８】
そこで、本発明は、上記した従来の技術の課題を解決するためになされたものであり、個別のモニタごとに電力制御することが可能な医用情報表示装置および医用画像表示装置を提供することを目的とする。
【課題を解決するための手段】
【０００９】
上述した課題を解決し、目的を達成するため、請求項１に係る発明は、処理の実行と連動して医用情報を表示するモニタを複数備える医用情報表示装置であって、医用情報を表示する表示モードと消費電力を低減する電力低減モードとを入力信号の有無に応じて切り替えるモニタについて、当該モニタが連動する処理の実行が開始された状態もしくは停止された状態を示す状態情報と信号の入力開始もしくは入力停止を制御する制御情報とを対応づけてモニタごとに記憶する制御情報記憶手段と、前記状態を検知する状態検知手段と、前記状態検知手段によって所定の状態が検知されると、検知された当該状態を示す状態情報を用いて前記制御情報記憶手段を検索し、当該状態情報に制御情報が対応づけて記憶されているモニタに対して、当該制御情報に従って信号の入力開始もしくは入力停止を制御する入力信号制御手段と、を備えたことを特徴とする。
【００１０】
また、請求項３に係る発明は、所定の種別の医用画像のみを表示するモニタを複数備える医用画像表示装置であって、医用画像を表示する表示モードと消費電力を低減する電力低減モードとを入力信号の有無に応じて切り替えるモニタについて、医用画像の種別を示す種別情報と信号の入力開始もしくは入力停止を制御する制御情報とを対応づけてモニタごとに記憶する制御情報記憶手段と、前記種別を検知する種別検知手段と、前記種別検知手段によって所定の種別が検知されると、検知された当該種別を示す種別情報を用いて前記制御情報記憶手段を検索し、当該種別情報に制御情報が対応づけて記憶されているモニタに対して、当該制御情報に従って信号の入力開始もしくは入力停止を制御する入力信号制御手段と、を備えたことを特徴とする。
【発明の効果】
【００１１】
請求項１または３の発明によれば、個別のモニタごとに電力制御することが可能になる。
【発明を実施するための最良の形態】
【００１２】
以下に添付図面を参照して、本発明に係る医用情報表示装置および医用画像表示装置の実施例を詳細に説明する。なお、実施例１では、医用情報表示装置および医用画像表示装置として、Ｘ線診断装置、Ｘ線ＣＴ装置またはＭＲＩ装置などの医用画像診断装置を想定する。以下では、まず、実施例１における医用画像診断装置の概要を説明し、続いて、実施例１における医用画像診断装置の構成、処理手順、実施例１の効果を説明する。次に、他の実施例を説明する。
【実施例１】
【００１３】
［実施例１における医用画像診断装置の概要］
まず、図１を用いて、実施例１における医用画像診断装置の概要を説明する。図１は、実施例１における医用画像診断装置の概要を説明するための図である。
【００１４】
医用画像診断装置は、図１に示すように、複数のモニタを備える。例えば、実施例１における医用画像診断装置は、現検査用モニタ部と過去検査用モニタ部と検査室用モニタ部とを備える。ここで、これらのモニタは、信号の入力を検知すると、医用画像を表示する表示モードに移行し、信号の入力がないことを検知すると、消費電力を低減する省電力モード（バックライトを消すなど）に移行する。なお、医用画像診断装置は、例えば、一定時間信号の入力を検知しないことで、信号の入力がないことを検知する。
【００１５】
また、これらのモニタは、医用画像診断装置にて実行される処理と連動して医用画像を表示する。例えば、実施例１における現検査用モニタ部や検査室用モニタ部は、医用画像診断装置の検査部にて実行される処理と連動して医用画像を表示する。
【００１６】
このような想定の下、実施例１における医用画像診断装置は、処理の実行が開始された状態もしくは停止された状態を示す状態情報と、信号の入力開始もしくは入力停止を制御する制御情報とを対応づけて記憶部に記憶する。例えば、医用画像診断装置は、図１に示すように、ソースとイベントとの組合せで示される状態情報と、ＯＮやＯＦＦで示される制御情報とを対応づけて記憶する。
【００１７】
ここで、医用画像診断装置は、図１に示すように、検査部において、検査開始のイベントを検知したとする。すると、医用画像診断装置は、ソース「検査部」とイベント「検査開始」との組合せを検索キーとして記憶部を検索する。そして、医用画像診断装置は、当該組合せに対応づけて制御情報が記憶されている「現検査用モニタ部」および「検査室用モニタ部」に対して、制御情報「ＯＮ」に従って信号の入力を開始する。
【００１８】
すると、「現検査用モニタ部」および「検査室用モニタ部」は、信号の入力を検知するので、表示モードに移行する。一方、「過去検査用モニタ部」は、信号の入力がないことを検知するので、省電力モードを維持する。
【００１９】
このように、実施例１における医用画像診断装置は、個別のモニタ各々が特定の処理の実行と連動して医用画像を表示するものである点を反映するように、処理の実行状態を示す状態情報と信号の制御情報との関係をモニタごとに設定している。そして、医用画像診断装置は、状態を検知した際に、モニタごとの制御情報に従って信号を制御するので、個別のモニタごとに電力制御することが可能になる。
【００２０】
［実施例１における医用画像診断装置の構成］
次に、図２を用いて、実施例１における医用画像診断装置の構成を説明する。図２は、実施例１における医用画像診断装置の構成を示すブロック図である。
【００２１】
実施例１における医用画像診断装置１０は、図２に示すように、モニタ部として、現検査用モニタ部１と過去検査用モニタ部２と検査室用モニタ部３とを備える。また、医用画像診断装置１０は、記憶部として、医用画像記憶部２１とモニタ制御テーブル記憶部２２とを備える。また、医用画像診断装置１０は、制御部として、検査部３１と後処理部３２と寝台部３３と状態管理部３４とモニタ制御部３５とを備える。
【００２２】
現検査用モニタ部１は、現在行われている検査に関する医用画像を表示する。例えば、現検査用モニタ部１は、操作室の医師によって現在の患者に対する検査が行われている際に、当該医師によって検査部３１が操作されることで医用画像を表示する。
【００２３】
過去検査用モニタ部２は、過去に行われた検査に関する医用画像を表示する。例えば、過去検査用モニタ部２は、操作室の医師によって現在の患者に対する検査が行われている際に、当該医師によって後処理部３２が操作されることで当該患者の過去の検査に関する医用画像を表示する。
【００２４】
検査室用モニタ部３は、検査室に設置された寝台部３３にて行われている検査に関する医用画像を表示する。例えば、検査室用モニタ部３は、検査室の技師によって寝台上の患者に対する検査が行われている際に、当該技師によって検査部３１が操作されることで医用画像を表示する。
【００２５】
また、現検査用モニタ部１、過去検査用モニタ部２、および検査室用モニタ部３は、いずれも、表示モードまたは省電力モードのいずれかで動作する。具体的には、現検査用モニタ部１、過去検査用モニタ部２、および検査室用モニタ部３は、信号の入力を検知すると、医用画像を表示する表示モードに移行し、信号の入力がないことを検知すると、消費電力を低減する省電力モードに移行する。具体的には、現検査用モニタ部１、過去検査用モニタ部２、および検査室用モニタ部３は、いずれも、モニタ制御部３５と接続され、モニタ制御部３５によって制御されることで、表示モードと省電力モードとの切り替えを行う。すなわち、モニタ制御部３５が、現検査用モニタ部１、過去検査用モニタ部２、および検査室用モニタ部３に対する信号の入力開始や入力停止を制御することで、現検査用モニタ部１、過去検査用モニタ部２、および検査室用モニタ部３は、表示モードと省電力モードとの切り替えを行う。
【００２６】
また、現検査用モニタ部１、過去検査用モニタ部２、および検査室用モニタ部３は、いずれも、医用画像診断装置１０にて実行される特定の処理と連動して医用画像を表示する。具体的には、現検査用モニタ部１は、検査部３１にて実行される処理と連動して医用画像を表示する。また、過去検査用モニタ部２は、後処理部３２にて実行される処理と連動して医用画像を表示する。また、検査室用モニタ部３は、検査部３１にて実行される処理と連動して医用画像を表示する。
【００２７】
医用画像記憶部２１は、医用画像を記憶する。具体的には、医用画像記憶部２１は、検査部３１、後処理部３２、および寝台部３３と接続され、検査部３１や後処理部３２、あるいは寝台部３３によって取得された医用画像を記憶する。また、医用画像記憶部２１によって記憶された医用画像は、検査部３１や後処理部３２による処理に利用される。
【００２８】
モニタ制御テーブル記憶部２２は、モニタ制御テーブルを記憶する。具体的には、モニタ制御テーブル記憶部２２は、モニタ制御部３５と接続され、モニタ制御テーブル記憶部２２によって記憶されたモニタ制御テーブルは、モニタ制御部３５による処理に利用される。なお、モニタ制御テーブルは、医用画像診断装置１０の出荷時に予め設定されたものであってもよいし、出荷後に利用者によって任意に設定されたものであってもよい。
【００２９】
ここで、モニタ制御テーブルとは、モニタごとに、処理の実行が開始された状態もしくは停止された状態を示す状態情報と、信号の入力開始もしくは入力停止を制御する制御情報とを対応づけたテーブルである。例えば、モニタ制御テーブル記憶部２２は、図３に示すようなモニタ制御テーブルを記憶する。図３は、実施例１におけるモニタ制御テーブルを説明するための図である。
【００３０】
図３に例示するモニタ制御テーブルは、ソースとイベントとの組合せで状態情報を示す。すなわち、ソースは、医用画像診断装置１０にて処理を実行する部を示し、イベントは、実行が開始された状態もしくは実行が停止された状態を示す。例えば、ソース「検査部」とイベント「検査開始」との組合せは、検査部３１による処理の実行が開始された状態として、検査部３１において「検査開始」のイベントが検知されることを示す。
【００３１】
また、モニタ制御テーブルは、「ＯＮ」あるいは「ＯＦＦ」で制御情報を示す。すなわち、「ＯＮ」は、信号の入力開始を示し、「ＯＦＦ」は、信号の入力停止を示す。なお、「−」は、制御しないことを示す。例えば、図３に示すモニタ制御テーブルの１行目は、検査部３１において「検査開始」のイベントが検知されると、現検査用モニタ部１および検査室用モニタ部３に対しては信号の入力を開始する制御を行い、過去検査用モニタ部２に対しては制御を行わないことを示す。また、例えば、２行目は、後処理部３２において「過去検査読み出し」のイベントが検知されると、現検査用モニタ部１および検査室用モニタ部３に対しては制御を行わず、過去検査用モニタ部２に対しては信号の入力を開始する制御を行うことを示す。
【００３２】
このように、モニタ制御テーブル記憶部２２は、個別のモニタ各々が特定の処理の実行と連動して医用画像を表示するものである点を反映するように、処理の実行状態を示す状態情報と信号の制御情報との関係をモニタごとに設定している。
【００３３】
検査部３１は、現在の検査に関する処理を行う。例えば、検査部３１は、操作室の医師によって現在の患者に対する検査が行われている際に、当該検査に関する医用画像を現検査用モニタ部１に表示する。また、検査部３１は、医用画像記憶部２１と接続され、検査部３１において取得した医用画像を医用画像記憶部２１に格納したり、医用画像記憶部２１に記憶されている医用画像を利用する。
【００３４】
また、検査部３１は、状態管理部３４とも接続され、検査部３１において検知したイベントを状態管理部３４に通知する。例えば、検査部３１は、「検査開始」のボタン押下を受け付けたことを検知すると、「検査開始」のイベントが検知されたことを状態管理部３４に通知する。また、例えば、検査部３１は、「検査終了」のボタン押下を受け付けたことを検知すると、「検査終了」のイベントが検知されたことを状態管理部３４に通知する。
【００３５】
後処理部３２は、過去に行われた検査に関する後処理を行う。例えば、後処理部３２は、操作室の医師によって現在の患者に対する検査が行われている際に、当該患者の過去の検査に関する医用画像を過去検査用モニタ部２に表示する。また、後処理部３２は、医用画像記憶部２１と接続され、後処理部３２において後処理された医用画像を医用画像記憶部２１に格納したり、医用画像記憶部２１に記憶されている医用画像を利用する。
【００３６】
また、後処理部３２は、状態管理部３４とも接続され、後処理部３２において検知したイベントを状態管理部３４に通知する。例えば、後処理部３２は、過去の検査に関する医用画像の読み出し処理が開始されたことを検知すると、「過去検査読み出し」のイベントが検知されたことを状態管理部３４に通知する。また、例えば、後処理部３２は、過去の検査に関する医用画像に対する処理が終了されたことを検知すると、「過去検査処理終了」のイベントが検知されたことを状態管理部３４に通知する。
【００３７】
寝台部３３は、寝台上の患者に対する検査に関する処理を行う。例えば、寝台部３３は、検査室の技師によって寝台上の患者に対する検査が行われている際に、当該検査に関する医用画像を検査室用モニタ部３に表示する。また、寝台部３３は、医用画像記憶部２１と接続され、寝台部３３において取得した医用画像を医用画像記憶部２１に格納する。
【００３８】
状態管理部３４は、医用画像診断装置１０の状態を管理する。具体的には、状態管理部３４は、検査部３１と後処理部３２と接続され、検査部３１や後処理部３２から通知されるイベントを受け付ける。また、状態管理部３４は、モニタ制御部３５とも接続され、検査部３１や後処理部３２から通知されたイベントと当該イベントの通知元であるソースとをモニタ制御部３５に通知する。
【００３９】
モニタ制御部３５は、モニタを制御する。具体的には、モニタ制御部３５は、状態管理部３４、モニタ制御テーブル記憶部２２、現検査用モニタ部１、過去検査用モニタ部２、および検査室用モニタ部３と接続される。モニタ制御部３５は、状態管理部３４からソースとイベントとの組合せを通知されると、通知されたソースとイベントとの組合せを検索キーとしてモニタ制御テーブル記憶部２２を検索する。そして、モニタ制御部３５は、当該組合せに対応づけて制御情報が記憶されているモニタに対して、制御情報に従って信号の入力開始もしくは入力停止を制御する。
【００４０】
例えば、モニタ制御部３５は、状態管理部３４から、ソース「検査部３１」とイベント「検査開始」との組合せを通知されると、当該組合せを検索キーとしてモニタ制御テーブル記憶部２２を検索する。そして、モニタ制御部３５は、当該組合せに対応づけて制御情報「ＯＮ」が記憶されている現検査用モニタ部１および検査室用モニタ部３に対して、制御情報「ＯＮ」に従って信号の入力を開始する。一方、モニタ制御部３５は、過去検査用モニタ部２に対して、制御を行わない。
【００４１】
［実施例１における医用画像診断装置による処理手順］
次に、図４を用いて、実施例１における医用画像診断装置による処理手順を説明する。図４は、実施例１における医用画像診断装置による処理手順を示すフローチャートである。
【００４２】
まず、実施例１における医用画像診断装置１０の状態管理部３４は、検査部３１もしくは後処理部３２からイベントを通知されたか否かを判定している（ステップＳ１０１）。イベントを通知されていない場合には（ステップＳ１０１否定）、状態管理部３４は、イベントを通知されたか否かを判定する処理に戻る。
【００４３】
一方、イベントを通知された場合には（ステップＳ１０１肯定）、状態管理部３４は、通知されたイベントと当該イベントのソースとをモニタ制御部３５に通知する（ステップＳ１０２）。
【００４４】
すると、モニタ制御部３５は、状態管理部３４からソースとイベントとの組合せを通知されると、通知されたソースとイベントとの組合せを検索キーとしてモニタ制御テーブル記憶部２２を検索し、当該組合せに対応づけて記憶されている制御情報を取得する（ステップＳ１０３）。
【００４５】
そして、モニタ制御部３５は、該当するモニタに対して、取得した制御情報に従って、信号の入力開始もしくは入力停止を制御する（ステップＳ１０４）。
【００４６】
［実施例１の効果］
上記してきたように、実施例１における医用画像診断装置１０は、表示モードと省電力モードとを入力信号の有無に応じて切り替えるモニタについて、モニタが連動する処理の実行が開始された状態もしくは停止された状態を示す状態情報と信号の入力開始もしくは入力停止を制御する制御情報とを対応づけてモニタごとに記憶する。また、医用画像診断装置１０は、所定の状態が検知されると、検知された状態を示す状態情報を用いて記憶部を検索し、当該状態情報に制御情報が対応づけて記憶されているモニタに対して、当該制御情報に従って信号の入力開始もしくは入力停止を制御する。このようなことから、実施例１によれば、個別のモニタごとに電力制御することが可能になる。
【００４７】
従来の医用画像診断装置は、一つのモニタが利用者によって操作されている間は、利用されていない他のモニタも含めた全てのモニタに対する信号の入力を継続し、全てのモニタにおいて表示モードが維持されていた。すなわち、例えば、後処理部３２による処理が実行されていない間は、少なくとも過去検査用モニタ部２が表示モードである必要はないにもかかわらず、過去検査用モニタ部２においても表示モードが維持されていた。その分、電力が無駄に消費されていたことになる。これに対し、実施例１によれば、過去検査用モニタ部２に対する信号の入力は停止されるので、過去検査用モニタ部２は、表示モードから省電力モードへと移行し、電力が無駄に消費されることがなくなる。
【実施例２】
【００４８】
さて、これまで実施例１として、医用画像診断装置において状態を検知するソースとして、検査部および後処理部を利用する例を説明してきた。しかしながら、本発明はこれに限られるものではなく、状態を検知するソースとして寝台部を利用してもよい。そこで、以下では、状態を検知するソースとして、検査部、後処理部および寝台部を利用する例を説明する。
【００４９】
まず、実施例２におけるモニタ制御テーブル記憶部２２は、図５に示すようなモニタ制御テーブルを記憶する。なお、図５は、実施例２におけるモニタ制御テーブルを説明するための図である。実施例１におけるモニタ制御テーブル（図３を参照）と比較するとわかるように、実施例２におけるモニタ制御テーブル記憶部２２は、ソース「寝台部」とイベント「患者が寝た」との組合せ、およびソース「寝台部」とイベント「患者が起きた」との組合せを追加して記憶している。
【００５０】
例えば、図５に示すモニタ制御テーブルの２行目は、寝台部３３において「患者が寝た」のイベントが検知されると、現検査用モニタ部１および過去検査用モニタ部２に対しては制御を行わず、検査室用モニタ部３に対しては信号の入力を開始する制御を行うことを示す。また、例えば、５行目は、寝台部３３において「患者が起きた」のイベントが検知されると、現検査用モニタ部１および過去検査用モニタ部２に対しては制御を行わず、検査室用モニタ部３に対しては信号の入力を停止する制御を行うことを示す。
【００５１】
なお、２行目と５行目とが追加された関係で、検査部３１において「検査開始」のイベントが検知された場合（１行目）、および「検査終了」のイベントが検知された場合（６行目）の制御情報が、実施例１におけるモニタ制御テーブル（図３を参照）と異なる。
【００５２】
実施例２における寝台部３３は、医用画像記憶部２１と接続される他に、状態管理部３４とも接続され、寝台部３３において検知したイベントを状態管理部３４に通知する。例えば、寝台部３３は、重量を検知するセンサを備え、患者に相当する所定の重量を検知すると、「患者が寝た」のイベントが検知されたことを状態管理部３４に通知する。また、例えば、寝台部３３は、患者に相当する所定の重量が検知されなくなったことを検知すると、「患者が起きた」のイベントが検知されたことを状態管理部３４に通知する。
【００５３】
実施例２における状態管理部３４は、検査部３１と後処理部３２と接続される他に、寝台部３３とも接続され、寝台部３３から通知されるイベントも受け付ける。また、状態管理部３４は、寝台部３３から通知されたイベントと当該イベントのソースとについても、モニタ制御部３５に通知する。
【００５４】
［実施例２の効果］
上記してきたように、実施例２における医用画像診断装置１０においては、寝台部３３が重量を検知するセンサを備えることで、医用画像診断装置１０の状態を検知する部として寝台部３３がさらに加えられている。このようなことから、実施例２によれば、実施例１と比較して、より細かく電力制御することが可能になる。例えば、寝台部３３に患者が横たわっている時だけ検査室用モニタ部３に信号が送出されるようになる。
【実施例３】
【００５５】
さて、これまで、実施例１や実施例２として、画像の種別に関係なくモニタが利用される例を説明してきた。しかしながら、医用画像の中には、例えば、バイプレーン画像、シングルプレーン画像、３Ｄ画像など、種別の異なる医用画像が存在する場合がある。このような場合には、一般的に、モニタも、バイプレーン画像用のモニタ、シングルプレーン画像用のモニタ、３Ｄ画像用のモニタなど、画像の種別ごとに異なるものが利用される。そこで、実施例３では、医用画像診断装置が、所定の種別の医用画像のみを表示するモニタを備えることを想定する。
【００５６】
［実施例３における医用画像診断装置の構成］
まず、図６を用いて、実施例３における医用画像診断装置の構成を説明する。図６は、実施例３における医用画像診断装置の構成を示すブロック図である。
【００５７】
実施例１や実施例２における医用画像診断装置と特に異なる点は、過去検査用モニタ部２が、さらに、画像の種別ごとに、２Ｄ（Frontal）モニタ部２ａと、２Ｄ（Lateral）モニタ部２ｂと、裸眼立体視モニタ部２ｃとを備える点である。
【００５８】
例えば、アンギオ装置などの医用画像診断装置は、一度に２つの視点（Frontal像、Lateral像）から同一箇所を撮像したバイプレーン画像を出力することがある。このようなバイプレーン画像の表示には、２Ｄ（Frontal）モニタ部２ａおよび２Ｄ（Lateral）モニタ部２ｂの両方が利用される。また、１つの視点から撮像したシングルプレーン画像の表示には、２Ｄ（Frontal）モニタ部２ａもしくは２Ｄ（Lateral）モニタ部２ｂのいずれかが利用される。また、３Ｄ画像の表示には、裸眼立体視モニタ部２ｃが利用される。
【００５９】
次に、実施例３におけるモニタ制御テーブル記憶部２２は、図７に示すようなモニタ制御テーブルを記憶する。なお、図７は、実施例３におけるモニタ制御テーブルを説明するための図である。実施例２におけるモニタ制御テーブル（図５を参照）と比較するとわかるように、実施例３におけるモニタ制御テーブル記憶部２２は、ソース「後処理部」とイベント「過去検査読み出し」との組合せに対応づけて、制御情報「画像種別判断」を記憶する（図７の（Ａ）を参照）。
【００６０】
また、実施例３におけるモニタ制御テーブル記憶部２２は、モニタごとに、医用画像の種別を示す種別情報と制御情報とを対応づけて記憶する（図７の（Ｂ）を参照）。例えば、図７の（Ｂ）に示すように、１行目は、種別情報が「バイプレーン画像」の場合には、２Ｄ（Frontal）モニタ部２ａおよび２Ｄ（Lateral）モニタ部２ｂに対して信号の入力を開始する制御を行い、裸眼立体視モニタ部２ｃに対しては制御を行わないことを示す。
【００６１】
実施例３における後処理部３２は、後処理部３２において検知したイベントを状態管理部３４に通知する際に、適宜、画像の種別を示す種別情報を併せて通知する。例えば、後処理部３２は、過去の検査に関する医用画像の読み出し処理が開始されたことを検知すると、当該読み出し処理の対象となっている医用画像の種別を判定する。そして、後処理部３２は、検知したイベントを状態管理部３４に通知する際に、判定した種別を示す種別情報を併せて通知する。
【００６２】
実施例３における状態管理部３４は、後処理部３２から通知されるイベントを受け付けた際に、種別情報を併せて受け付けた場合には、イベントと当該イベントのソースの他に、種別情報も併せてモニタ制御部３５に通知する。
【００６３】
実施例３におけるモニタ制御部３５は、状態管理部３４からソースとイベントとの組合せを通知されると、モニタ制御テーブル記憶部２２を検索する前に、まず、通知されたイベントが、ソース「後処理部３２」によって検知されたイベント「過去検査読み出し」であるか否かを判定する。モニタ制御部３５は、判定の結果、ソース「後処理部３２」によって検知されたイベント「過去検査読み出し」であると判定された場合には、種別情報も通知されているはずであるので、通知された種別情報を検索キーとしてモニタ制御テーブル記憶部２２を検索する。なお、種別情報を通知されていない場合には、別途、後処理部３２に種別情報を送信するよう要求してもよい。そして、モニタ制御部３５は、当該種別情報に対応づけて制御情報が記憶されているモニタに対して、当該制御情報に従って信号の入力開始もしくは入力停止を制御する。
【００６４】
例えば、モニタ制御部３５は、状態管理部３４から、ソース「後処理部３２」とイベント「過去検査読み出し」との組合せを通知されると、後処理部３２から受信した種別情報「バイプレーン画像」を検索キーとしてモニタ制御テーブル記憶部２２を検索する。そして、モニタ制御部３５は、当該種別情報に対応づけて制御情報「ＯＮ」が記憶されている２Ｄ（Frontal）モニタ部２ａおよび２Ｄ（Lateral）モニタ部２ｂに対して、制御情報「ＯＮ」に従って信号の入力を開始する。一方、モニタ制御部３５は、裸眼立体視モニタ部２ｃに対して、制御を行わない。
【００６５】
［実施例３に係る医用画像診断装置による処理手順］
次に、図８を用いて、実施例３における医用画像診断装置による処理手順を説明する。図８は、実施例３における医用画像診断装置による処理手順を示すフローチャートである。
【００６６】
まず、実施例３における医用画像診断装置１０の状態管理部３４は、検査部３１、後処理部３２、もしくは寝台部３３からイベントを通知されたか否かを判定している（ステップＳ２０１）。イベントを通知されていない場合には（ステップＳ２０１否定）、状態管理部３４は、イベントを通知されたか否かを判定する処理に戻る。
【００６７】
一方、イベントを通知された場合には（ステップＳ２０１肯定）、状態管理部３４は、通知されたイベントと当該イベントのソースとをモニタ制御部３５に通知する（ステップＳ２０２）。
【００６８】
すると、モニタ制御部３５は、状態管理部３４からソースとイベントとの組合せを通知されると、通知された組合せが、ソース「後処理部３２」によって検知されたイベント「過去検査読み出し」であるか否かを判定する（ステップＳ２０３）。モニタ制御部３５は、判定の結果、ソース「後処理部３２」によって検知されたイベント「過去検査読み出し」でないと判定した場合（ステップＳ２０３否定）、実施例１や実施例２と同様の処理を行う。
【００６９】
すなわち、モニタ制御部３５は、通知されたソースとイベントとの組合せを検索キーとしてモニタ制御テーブル記憶部２２を検索し、当該組合せに対応づけて記憶されている制御情報を取得する（ステップＳ２０４）。そして、モニタ制御部３５は、該当するモニタに対して、取得した制御情報に従って、信号の入力開始もしくは入力停止を制御する（ステップＳ２０５）。
【００７０】
一方、モニタ制御部３５は、判定の結果、ソース「後処理部３２」によって検知されたイベント「過去検査読み出し」であると判定した場合には（ステップＳ２０３肯定）、続いて、状態管理部３４から種別情報を通知されたか否かを判定する（ステップＳ２０６）。
【００７１】
種別情報を通知されていないと判定した場合には（ステップＳ２０６否定）、モニタ制御部３５は、後処理部３２に種別情報を送信するよう要求して（ステップＳ２０７）、種別情報を通知されているか否かを判定する処理に戻る。
【００７２】
一方、種別情報を通知されたと判定した場合には（ステップＳ２０６肯定）、モニタ制御部３５は、通知された種別情報を検索キーとしてモニタ制御テーブル記憶部２２を検索し、当該種別情報に対応づけて記憶されている制御情報を取得する（ステップＳ２０８）。
【００７３】
そして、モニタ制御部３５は、該当するモニタに対して、取得した制御情報に従って、信号の入力開始もしくは入力停止を制御する（ステップＳ２０９）。
【００７４】
［実施例３の効果］
上記してきたように、実施例３における医用画像診断装置１０は、所定の種別の医用画像のみを表示するモニタについて、医用画像の種別を示す種別情報と制御情報とを対応づけてモニタごとに記憶する。また、医用画像診断装置１０は、所定の状態が検知されると、検知された状態が、所定の種別の医用画像を表示する処理に関する状態であるか否かを判定し、所定の種別の医用画像を表示する処理に関する状態であると判定した場合には、検知された種別を示す種別情報を用いて記憶部を検索し、当該種別情報に制御情報が対応づけて記憶されているモニタに対して、当該制御情報に従って信号の入力開始もしくは入力停止を制御する。このようなことから、実施例３によれば、医用画像診断装置において実行される処理の実行状態のみならず、医用画像の種別にも基づいて、個別のモニタごとに電力制御することが可能になる。
【実施例４】
【００７５】
［他の実施例］
さて、これまで本発明の実施例１〜３について説明してきたが、本発明は上記の実施例以外にも、種々の異なる形態にて実施されてよいものである。
【００７６】
［画像種別による制御］
上記の実施例１〜３では、医用画像診断装置が、医用画像診断装置において実行される処理の実行状態を検知し、検知した実行状態に基づいて個別のモニタごとに電力制御する事例を説明してきた。しかしながら、本発明はこれに限られるものではなく、処理の実行状態とは関係なく、画像の種別のみに基づいて個別のモニタごとに電力制御する事例にも、本発明を同様に適用することができる。
【００７７】
具体的には、所定の種別の医用画像のみを表示するモニタを複数備える医用画像表示装置を想定する。医用画像表示装置は、医用画像を表示する表示モードと消費電力を低減する省電力モードとを入力信号の有無に応じて切り替えるモニタについて、医用画像の種別を示す種別情報と信号の入力開始もしくは入力停止を制御する制御情報とを対応づけてモニタごとに記憶する。また、医用画像表示装置は、医用画像の種別が検知されると、検知された種別を示す種別情報を用いて記憶部を検索し、当該種別情報に制御情報が対応づけて記憶されているモニタに対して、当該制御情報に従って信号の入力開始もしくは入力停止を制御する。
【００７８】
このように、個別のモニタ各々が特定の種別の医用画像のみを表示するものである点を反映するように、医用画像の種別を示す状態情報と信号の制御情報との関係をモニタごとに設定している。そして、医用画像表示装置は、種別を検知した際に、モニタごとの制御情報に従って信号を制御するので、個別のモニタごとに電力制御することが可能になる。
【００７９】
［医用情報表示装置］
また、上記の実施例１〜３では、医用情報表示装置として、Ｘ線診断装置、Ｘ線ＣＴ装置またはＭＲＩ装置などの医用画像診断装置を想定してきたが、本発明はこれに限られるものではなく、複数のモニタを備える装置であれば他の装置であってもよい。例えば、医用情報である所見を表示するモニタと、所見に対応する医用画像を表示するモニタとを備えた医用情報表示装置にも、本発明を同様に適用することができる。
【００８０】
［従来技術の併用］
また、本発明に係る医用情報表示装置は、「全てのモニタが利用者によって操作されなくなってから一定時間経過した場合に、全てのモニタに対する信号の入力を停止する」従来の技術を併用してもよい。この場合には、医用情報表示装置は、処理の実行状態を検知する検知手段の他に、全てのモニタについて一定時間操作されていないことを検知する検知手段も備える。そして、医用情報表示装置は、全てのモニタについて一定時間操作されていないことを検知すると、全てのモニタに対して信号の入力を停止する。例えば、後処理部によって医用画像の読み出し処理が開始されると、モニタ制御部は、過去検査用モニタに対して信号の入力を開始する。ここで、過去検査用モニタにおいて医用画像を表示中に、操作室の医師が席を離れたとする。従来の技術を併用すると、このような場合に、医用情報表示装置は、未だ過去検査処理終了のイベントを通知されていなくとも、一定時間操作されていないことを検知して、過去検査用モニタに対する信号の入力を停止することができる。
【産業上の利用可能性】
【００８１】
以上のように、本発明に係る医用情報表示装置および医用画像表示装置は、医用情報を表示するモニタを複数備える場合に、モニタを制御することに有用であり、特に、個別のモニタごとに電力制御することに適する。
【図面の簡単な説明】
【００８２】
【図１】実施例１における医用画像診断装置の概要を説明するための図である。
【図２】実施例１における医用画像診断装置の構成を示すブロック図である。
【図３】実施例１におけるモニタ制御テーブルを説明するための図である。
【図４】実施例１における医用画像診断装置による処理手順を示すフローチャートである。
【図５】実施例２におけるモニタ制御テーブルを説明するための図である。
【図６】実施例３における医用画像診断装置の構成を示すブロック図である。
【図７】実施例３におけるモニタ制御テーブルを説明するための図である。
【図８】実施例３における医用画像診断装置による処理手順を示すフローチャートである。
【符号の説明】
【００８３】
１  現検査用モニタ部
２  過去検査用モニタ部
２ａ  ２Ｄ（Frontal）モニタ部
２ｂ  ２Ｄ（Lateral）モニタ部
２ｃ  裸眼立体視モニタ部
３  検査室用モニタ部
１０  医用画像診断装置
２１  医用画像記憶部
２２  モニタ制御テーブル記憶部
３１  検査部
３２  後処理部
３３  寝台部
３４  状態管理部
３５  モニタ制御部
【図１】
2010017221.tif 000003
【図２】
2010017221.tif 000004
【図３】
2010017221.tif 000005
【図４】
2010017221.tif 000006
【図５】
2010017221.tif 000007
【図６】
2010017221.tif 000008
【図７】
2010017221.tif 000009
【図８】
2010017221.tif 000010